(57)【要約】【課題】基地局と通信するためのアンテナの配置を最適化する。【解決手段】空気調和装置の室外機（10）は、上面（20a）に吹出開口（22）が形成されたケーシング（20）と、ケーシング（20）に収容された室外ファン（30）と、ケーシング（20）に設けられ、基地局（2）と通信するためのアンテナ（40）とを備える。アンテナ（40）は、上面視において、ケーシング（20）の上面（20a）における吹出開口（22）から外れた位置に設けられる。【選択図】図２
2020201003.tif 000002
【特許請求の範囲】
【請求項１】
上面（20a）に吹出開口（22）が形成されたケーシング（20）と、
上記ケーシング（20）に収容された室外ファン（30）と、
上記ケーシング（20）に設けられ、基地局（2）と通信するためのアンテナ（40）とを備え、
上記アンテナ（40）は、上面視において、上記ケーシング（20）の上面（20a）における上記吹出開口（22）から外れた位置に設けられる
ことを特徴とする空気調和装置の室外機。
【請求項２】
請求項１において、
上記アンテナ（40）は、上記ケーシング（20）の上面（20a）から突出する突出位置と、上記ケーシング（20）に収納される収納位置との間を移動可能である
ことを特徴とする空気調和装置の室外機。
【請求項３】
請求項１または２において、
上記ケーシング（20）は、
上記室外ファン（30）を収容するケーシング本体（21）と、
上記ケーシング本体（21）に取り付けられ、上記室外ファン（30）を覆うファンガード（23）とを有し、
上記アンテナ（40）は、上記ケーシング本体（21）または上記ファンガード（23）に取り付けられる
ことを特徴とする空気調和装置の室外機。
【請求項４】
請求項１〜３のいずれか１項において、
上記アンテナ（40）は、上記ケーシング（20）に着脱可能である
ことを特徴とする空気調和装置の室外機。
【請求項５】
請求項４において、
上記アンテナ（40）を介して信号を送受信するための送受信回路（51）を備え、
上記アンテナ（40）と上記送受信回路（51）とは、一体になっている
ことを特徴とする空気調和装置の室外機。
【請求項６】
請求項１〜５のいずれか１項において、
上記ケーシング（20）に収容され、電装品を収容する電装品箱（25）を備え、
上記ケーシング（20）の複数の側面において、上記電装品箱（25）に最も近い側面を第１側面（20b）とし、かつ該第１側面（20b）の反対側の側面を第２側面（20c）として、
上記アンテナ（40）は、上記第２側面（20c）よりも上記第１側面（20b）の近くに配置される
ことを特徴とする空気調和装置の室外機。
【請求項７】
請求項１〜６のいずれか１項に記載の空気調和装置の室外機（10）を複数備え、
上記空気調和装置の室外機（10）の間で、上記アンテナ（40）を介したホッピング通信を実行できるように構成されている
ことを特徴とする室外機システム。
【発明の詳細な説明】
【技術分野】
【０００１】
本開示は、空気調和装置の室外機およびそれを備えた室外機システムに関するものである。
【背景技術】
【０００２】
従来より、上面に吹出開口が形成されたケーシングを備えた空気調和装置の室外機（以下、単に室外機ともいう。）が知られている（例えば、特許文献１）。特許文献１の室外機は、当該室外機に近接する情報端末との非接触のデータ通信を行う通信ユニットを備える。この通信ユニットは、室外機の側面に設けられる。
【先行技術文献】
【特許文献】
【０００３】
【特許文献１】国際公開第２０１６／０８０３５３号
【発明の概要】
【発明が解決しようとする課題】
【０００４】
ところで、室外機に基地局と通信するためのアンテナを設けることが考えられる。しかし、そのようなアンテナの配置について、これまで詳細な検討はされていない。
【０００５】
本開示の目的は、基地局と通信するためのアンテナの配置を最適化することにある。
【課題を解決するための手段】
【０００６】
本開示の第１の態様は、空気調和装置の室外機（10）を対象とする。室外機（10）は、上面（20a）に吹出開口（22）が形成されたケーシング（20）と、上記ケーシング（20）に収容された室外ファン（30）と、上記ケーシング（20）に設けられ、基地局（2）と通信するためのアンテナ（40）とを備える。上記アンテナ（40）は、上面視において、上記ケーシング（20）の上面（20a）における上記吹出開口（22）から外れた位置に設けられる。
【０００７】
第１の態様では、室外機（10）のケーシング（20）の上面（20a）にアンテナ（40）が設けられるので、基地局（2）との間で高品質な通信を行うことができる。さらに、アンテナ（40）は、上面視において吹出開口（22）から外れた位置に設けられるので、吹出空気による影響を受けにくく、よって通信の品質が損なわれにくい。
【０００８】
本開示の第２の態様は、上記第１の態様において、上記アンテナ（40）は、上記ケーシング（20）の上面（20a）から突出する突出位置と、上記ケーシング（20）に収納される収納位置との間を移動可能であることを特徴とする。
【０００９】
第２の態様では、室外機（10）と基地局（2）との間で、突出位置にあるアンテナ（40）を介して高品質な通信を行うことができる。一方、室外機（10）を搬送する場合などには、アンテナ（40）を収納位置に移動させることで当該アンテナ（40）の損傷などを回避することができる。
【００１０】
本開示の第３の態様は、上記第１または第２の態様において、上記ケーシング（20）は、上記室外ファン（30）を収容するケーシング本体（21）と、上記ケーシング本体（21）に取り付けられ、上記室外ファン（30）を覆うファンガード（23）とを有し、上記アンテナ（40）は、上記ケーシング本体（21）または上記ファンガード（23）に取り付けられることを特徴とする。
【００１１】
本開示の第４の態様は、上記第１〜第３の態様のいずれか１つにおいて、上記アンテナ（40）は、上記ケーシング（20）に着脱可能であることを特徴とする。
【００１２】
第４の態様では、アンテナ（40）をケーシング（20）から取り外して任意の位置に配置して使用することができる。
【００１３】
本開示の第５の態様は、上記第４の態様において、上記アンテナ（40）を介して信号を送受信するための送受信回路（51）を備え、上記アンテナ（40）と上記送受信回路（51）とは、一体になっていることを特徴とする。
【００１４】
第５の態様では、アンテナ（40）と送受信回路（51）とが一体になっているので、両者間の距離を短くすることができる。これにより、アンテナ（40）と送受信回路（51）との間で信号が減衰するのを抑止することができる。このことは、アンテナ（40）をケーシング（20）から取り外して任意の位置に配置する場合に特に有利である。
【００１５】
本開示の第６の態様は、上記第１〜第５の態様のいずれか１つにおいて、上記ケーシング（20）に収容され、電装品を収容する電装品箱（25）を備え、上記ケーシング（20）の複数の側面において、上記電装品箱（25）に最も近い側面を第１側面（20b）とし、かつ該第１側面（20b）の反対側の側面を第２側面（20c）として、上記アンテナ（40）は、上記第２側面（20c）よりも上記第１側面（20b）の近くに配置されることを特徴とする。
【００１６】
第６の態様では、アンテナ（40）が第１側面（20b）よりも第２側面（20c）の近くに配置される場合に比べて、電装品箱（25）とアンテナ（40）との間に設けられる配線を短くすることができる。このため、当該配線およびその他部品を容易に設置することができる。
【００１７】
本開示の第７の態様は、室外機システム（1）を対象とする。室外機システム（1）は、上記第１〜第６の態様のいずれか１つの空気調和装置の室外機（10）を複数備え、上記空気調和装置の室外機（10）の間で、上記アンテナ（40）を介したホッピング通信を実行できるように構成されている。
【００１８】
第７の態様では、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【図面の簡単な説明】
【００１９】
【図１】図１は、実施形態１の室外機システムを概略的に示す構成図である。
【図２】図２は、実施形態１の空気調和装置の室外機の正面図および平面図を含む二面図である。
【図３】図３は、実施形態１のアンテナを示す正面図である。
【図４】図４は、実施形態１の変形例のアンテナを示す正面図である。
【図５】図５は、実施形態２のアンテナを示す正面図である。
【図６】図６は、実施形態２の通信部と制御部の構成を概略的に示すブロック図である。
【発明を実施するための形態】
【００２０】
《実施形態１》
実施形態１について説明する。本実施形態の空気調和装置の室外機（10）（以下、単に室外機（10）ともいう。）は、不図示の室内機と共に、対象空間の空気調和を行う空気調和装置を構成する。以下では、まず複数の室外機（10）を備える室外機システム（1）について説明し、続けて室外機（10）について説明する。
【００２１】
−室外機システム−
図１に示すように、室外機システム（1）は、空気調和装置の室外機（10）を複数（この例では、４つ）備える。各室外機（10）は、基地局（2）と通信するためのアンテナ（40）を有する。各室外機（10）は、アンテナ（40）を介して電波を送受信することで基地局（2）とデータ通信を行う。室外機システム（1）は、複数の室外機（10）の間で、アンテナ（40）を介したホッピング通信を実行できるように構成される。
【００２２】
−空気調和装置の室外機−
図２では、上側に室外機（10）の平面図が、下側に室外機（10）の正面図がそれぞれ示されている。同図に示すように、室外機（10）は、ケーシング（20）と、室外ファン（30）と、アンテナ（40）とを備える。
【００２３】
ケーシング（20）は、実質的に中空の直方体状に形成される。ケーシング（20）は、ケーシング本体（21）と、ファンガード（23）とを有する。ケーシング本体（21）は、室外ファン（30）を収容する。ケーシング本体（21）の上面（20a）（換言すると、ケーシング（20）の上面（20a））には、吹出開口（22）が形成される。ファンガード（23）は、吹出開口（22）に取り付けられる。ファンガード（23）は、室外ファン（30）を覆う。
【００２４】
ケーシング（20）は、複数（この例では、４つ）の側面を有する。正面側の側面には、点検扉（24）が設けられる。点検扉（24）の裏には、電装品を収容する電装品箱（25）が収容される。なお、電装品箱（25）に最も近い側面（正面側の側面）を第１側面（20b）とし、かつ第１側面（20b）の反対側の側面（背面側の側面）を第２側面（20c）とする。
【００２５】
室外ファン（30）は、ケーシング（20）内を通過する空気流れを発生させるための送風機である。室外ファン（30）は、ケーシング（20）内おいて、上部の左側と右側にそれぞれ１つずつ設けられる。室外ファン（30）は、ケーシング（20）の側面からケーシング（20）内に流入し、不図示の熱交換器を通過して吹出開口（22）から流出する空気流れを発生させる。
【００２６】
アンテナ（40）は、基地局（2）と通信するための部品である。アンテナ（40）は、上面視において、ケーシング（20）の上面（20a）における吹出開口（22）から外れた位置に設けられる。具体的に、アンテナ（40）は、左側のファンガード（23）の正面左側（図２の平面図における左下側）の隅部に取り付けられる。このように、アンテナ（40）は、ケーシング（20）の第２側面（20c）よりも第１側面（20b）の近くに配置される。
【００２７】
図３に示すように、各アンテナ（40）は、突出位置（図３に実線で示す位置）と、収納位置（図３に二点鎖線で示す位置）との間を移動可能である。突出位置は、ケーシング（20）の上面（20a）からアンテナ（40）の大部分（例えば、９割以上）が突出する位置である。収納位置は、アンテナ（40）の全体または大部分（例えば、９割以上）がケーシング（20）に収納される位置である。このために、ケーシング本体（21）には、アンテナ（40）を上下にスライド可能に収容する収容穴（図示せず）が形成される。
【００２８】
−実施形態１の効果−
本実施形態の空気調和装置の室外機（10）は、上面（20a）に吹出開口（22）が形成されたケーシング（20）と、上記ケーシング（20）に収容された室外ファン（30）と、上記ケーシング（20）に設けられ、基地局（2）と通信するためのアンテナ（40）とを備え、上記アンテナ（40）は、上面視において、上記ケーシング（20）の上面（20a）における上記吹出開口（22）から外れた位置に設けられる。このように、室外機（10）の上面にアンテナ（40）が設けられるので、基地局（2）との間で高品質な通信を行うことができる。さらに、アンテナ（40）は、上面視において吹出開口（22）から外れた位置に設けられるので、吹出空気による影響を受けにくく、よって通信の品質が損なわれにくい。
【００２９】
また、本実施形態の空気調和装置の室外機（10）は、上記アンテナ（40）が、上記ケーシング（20）の上面（20a）から突出する突出位置と、上記ケーシング（20）に収納される収納位置との間を移動可能である。したがって、室外機（10）と基地局（2）との間で、突出位置にあるアンテナ（40）を介して高品質な通信を行うことができる。一方、室外機（10）を搬送する場合などには、アンテナ（40）を収納位置に移動させることで当該アンテナ（40）の損傷などを回避することができる。
【００３０】
また、本実施形態の空気調和装置の室外機（10）は、上記ケーシング（20）に収容され、電装品を収容する電装品箱（25）を備え、上記ケーシング（20）の複数の側面において、上記電装品箱（25）に最も近い側面を第１側面（20b）とし、かつ該第１側面（20b）の反対側の側面を第２側面（20c）として、上記アンテナ（40）が、上記第２側面（20c）よりも上記第１側面（20b）の近くに配置される。したがって、アンテナ（40）が第１側面（20b）よりも第２側面（20c）の近くに配置される場合に比べて、電装品箱（25）とアンテナ（40）との間に設けられる配線を短くすることができる。このため、当該配線およびその他部品を容易に設置することができる。
【００３１】
本実施形態の室外機システム（1）は、上記空気調和装置の室外機（10）を複数備え、上記空気調和装置の室外機（10）の間で、上記アンテナ（40）を介したホッピング通信を実行できるように構成されている。したがって、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【００３２】
−実施形態１の変形例−
実施形態１の変形例について説明する。本変形例の室外機（10）は、アンテナ（40）の構成が上記実施形態１と異なる。以下、上記実施形態１と異なる点について主に説明する。
【００３３】
図４に示すように、アンテナ（40）は、ケーシング本体（21）に回動可能に取り付けられ、突出位置（図４に実線で示す位置）と、収納位置（図４に二点鎖線で示す位置）との間を回動動作によって移動可能である。
【００３４】
《実施形態２》
実施形態２について説明する。本実施形態の室外機（10）は、アンテナ（40）の構成などが上記実施形態１と異なる。以下、上記実施形態１と異なる点について主に説明する。
【００３５】
図５に示すように、アンテナ（40）は、ケーシング（20）に対して着脱可能である。なお、図５では、ケーシング（20）から取り外された状態のアンテナ（40）を示してある。
【００３６】
室外機（10）は、図６に概略的に示すように、通信部（50）と、制御部（60）とを備える。
【００３７】
通信部（50）は、送受信回路（51）と、送受信回路（51）を制御部（60）に電気的に接続するデータ線（52）とを有する。送受信回路（51）は、アンテナ（40）を介して信号を送受信するための電気回路である。送受信回路（51）は、アンテナ（40）と一体になっている。
【００３８】
制御部（60）は、室外機（10）の各部の動作を制御するための機能部である。制御部（60）は、ＣＰＵやメモリなどで構成され、電装品箱（25）に収容される。制御部（60）は、データ線（52）を介してアンテナ（40）との間でデータ信号を授受する。
【００３９】
−実施形態２の効果−
本実施形態の空気調和装置の室外機（10）によっても、上記実施形態１と同様の効果が得られる。
【００４０】
また、本実施形態の空気調和装置の室外機（10）は、上記アンテナ（40）が、上記ケーシング（20）に着脱可能である。したがって、アンテナ（40）をケーシング（20）から取り外して任意の位置に配置して使用することができる。
【００４１】
また、本実施形態の空気調和装置の室外機（10）は、上記アンテナ（40）を介して信号を送受信するための送受信回路（51）を備え、上記アンテナ（40）と上記送受信回路（51）とが、一体になっている。このように、アンテナ（40）と送受信回路（51）とが一体になっているので、両者間の距離を短くすることができる。これにより、アンテナ（40）と送受信回路（51）との間で信号が減衰するのを抑止することができる。このことは、アンテナ（40）をケーシング（20）から取り外して任意の位置に配置する場合に特に有利である。
【００４２】
《その他の実施形態》
上記実施形態については、以下のような構成としてもよい。
【００４３】
例えば、アンテナ（40）は、上面視において、ケーシング（20）の上面（20a）における吹出開口（22）から外れた位置に設けられるのであれば、各上記実施形態における位置とは異なる任意の位置に設けられてもよい。
【００４４】
また、例えば、アンテナ（40）は、ファンガード（23）ではなく、ケーシング本体（21）に取り付けられてもよい。この場合、ファンガード（23）の一部が、アンテナ（40）に干渉しないように切り欠いたような形状になっていることが好ましい。
【００４５】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００４６】
以上説明したように、本開示は、空気調和装置の室外機およびそれを備えた室外機システムについて有用である。
【符号の説明】
【００４７】
1  室外機システム
2  基地局
10  室外機
20  ケーシング
20a  上面
20b  第１側面
20c  第２側面
21  ケーシング本体
22  吹出開口
23  ファンガード
25  電装品箱
30  室外ファン
40  アンテナ
51  送受信回路
【図１】
2020201003.tif 000003
【図２】
2020201003.tif 000004
【図３】
2020201003.tif 000005
【図４】
2020201003.tif 000006
【図５】
2020201003.tif 000007
【図６】
2020201003.tif 000008
【手続補正書】
【提出日】令和2年10月2日(2020.10.2)
【手続補正１】
【補正対象書類名】明細書
【補正対象項目名】全文
【補正方法】変更
【補正の内容】
【発明の詳細な説明】
【技術分野】
【０００１】
本開示は、空気調和装置の室外機およびそれを備えた室外機システムに関するものである。
【背景技術】
【０００２】
従来より、上面に吹出開口が形成されたケーシングを備えた空気調和装置の室外機（以下、単に室外機ともいう。）が知られている（例えば、特許文献１）。特許文献１の室外機は、当該室外機に近接する情報端末との非接触のデータ通信を行う通信ユニットを備える。この通信ユニットは、室外機の側面に設けられる。
【先行技術文献】
【特許文献】
【０００３】
【特許文献１】国際公開第２０１６／０８０３５３号
【発明の概要】
【発明が解決しようとする課題】
【０００４】
ところで、室外機に基地局と通信するためのアンテナを設けることが考えられる。しかし、そのようなアンテナの配置について、これまで詳細な検討はされていない。
【０００５】
本開示の目的は、基地局と通信するためのアンテナの配置を最適化することにある。
【課題を解決するための手段】
【０００６】
本開示の第１の態様は、空気調和装置の室外機（10）を対象とする。室外機（10）は、上面（20a）に吹出開口（22）が形成されたケーシング（20）と、上記ケーシング（20）に収容された室外ファン（30）と、上記ケーシング（20）に設けられ、基地局（2）と通信するためのアンテナ（40）と、上記アンテナ（40）を介して信号を送受信するための送受信回路（51）とを備える。上記アンテナ（40）は、上面視において、上記ケーシング（20）の上面（20a）における上記吹出開口（22）から外れた位置に設けられ、上記アンテナ（40）と上記送受信回路（51）とは一体になっており、一体になった上記アンテナ（40）及び上記送受信回路（51）が、上記ケーシング（20）に対して着脱可能である。
【０００７】
第１の態様では、室外機（10）のケーシング（20）の上面（20a）にアンテナ（40）が設けられるので、基地局（2）との間で高品質な通信を行うことができる。さらに、アンテナ（40）は、上面視において吹出開口（22）から外れた位置に設けられるので、吹出空気による影響を受けにくく、よって通信の品質が損なわれにくい。
【０００８】
また、第１の態様では、アンテナ（40）と送受信回路（51）とが一体になっているので、両者間の距離を短くすることができる。これにより、アンテナ（40）と送受信回路（51）との間で信号が減衰するのを抑止することができる。このことは、アンテナ（40）をケーシング（20）から取り外して任意の位置に配置する場合に特に有利である。
【０００９】
本開示の第２の態様は、上記第１の態様において、上記ケーシング（20）に収容され、上記室外機の動作を制御する制御部（60）電装品箱（25）と、上記送受信回路（51）を上記制御部（60）に電気的に接続するデータ線（52）とを備えることを特徴とする。
【００１０】
第２の態様では、送受信回路（51）と制御部（60）がデータ線（52）を介して電気的に接続される。
【００１１】
本開示の第３の態様は、室外機システム（1）を対象とする。室外機システム（1）は、上記第１又は第２のいずれか１つの空気調和装置の室外機（10）を複数備え、上記空気調和装置の室外機（10）の間で、上記アンテナ（40）を介したホッピング通信を実行できるように構成されている。
【００１２】
第３の態様では、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【図面の簡単な説明】
【００１３】
【図１】図１は、実施形態１の室外機システムを概略的に示す構成図である。
【図２】図２は、実施形態１の空気調和装置の室外機の正面図および平面図を含む二面図である。
【図３】図３は、実施形態１のアンテナを示す正面図である。
【図４】図４は、実施形態１の変形例のアンテナを示す正面図である。
【図５】図５は、実施形態２のアンテナを示す正面図である。
【図６】図６は、実施形態２の通信部と制御部の構成を概略的に示すブロック図である。
【発明を実施するための形態】
【００１４】
《実施形態１》
実施形態１について説明する。本実施形態の空気調和装置の室外機（10）（以下、単に室外機（10）ともいう。）は、不図示の室内機と共に、対象空間の空気調和を行う空気調和装置を構成する。以下では、まず複数の室外機（10）を備える室外機システム（1）について説明し、続けて室外機（10）について説明する。
【００１５】
−室外機システム−
図１に示すように、室外機システム（1）は、空気調和装置の室外機（10）を複数（この例では、４つ）備える。各室外機（10）は、基地局（2）と通信するためのアンテナ（40）を有する。各室外機（10）は、アンテナ（40）を介して電波を送受信することで基地局（2）とデータ通信を行う。室外機システム（1）は、複数の室外機（10）の間で、アンテナ（40）を介したホッピング通信を実行できるように構成される。
【００１６】
−空気調和装置の室外機−
図２では、上側に室外機（10）の平面図が、下側に室外機（10）の正面図がそれぞれ示されている。同図に示すように、室外機（10）は、ケーシング（20）と、室外ファン（30）と、アンテナ（40）とを備える。
【００１７】
ケーシング（20）は、実質的に中空の直方体状に形成される。ケーシング（20）は、ケーシング本体（21）と、ファンガード（23）とを有する。ケーシング本体（21）は、室外ファン（30）を収容する。ケーシング本体（21）の上面（20a）（換言すると、ケーシング（20）の上面（20a））には、吹出開口（22）が形成される。ファンガード（23）は、吹出開口（22）に取り付けられる。ファンガード（23）は、室外ファン（30）を覆う。
【００１８】
ケーシング（20）は、複数（この例では、４つ）の側面を有する。正面側の側面には、点検扉（24）が設けられる。点検扉（24）の裏には、電装品を収容する電装品箱（25）が収容される。なお、電装品箱（25）に最も近い側面（正面側の側面）を第１側面（20b）とし、かつ第１側面（20b）の反対側の側面（背面側の側面）を第２側面（20c）とする。
【００１９】
室外ファン（30）は、ケーシング（20）内を通過する空気流れを発生させるための送風機である。室外ファン（30）は、ケーシング（20）内おいて、上部の左側と右側にそれぞれ１つずつ設けられる。室外ファン（30）は、ケーシング（20）の側面からケーシング（20）内に流入し、不図示の熱交換器を通過して吹出開口（22）から流出する空気流れを発生させる。
【００２０】
アンテナ（40）は、基地局（2）と通信するための部品である。アンテナ（40）は、上面視において、ケーシング（20）の上面（20a）における吹出開口（22）から外れた位置に設けられる。具体的に、アンテナ（40）は、左側のファンガード（23）の正面左側（図２の平面図における左下側）の隅部に取り付けられる。このように、アンテナ（40）は、ケーシング（20）の第２側面（20c）よりも第１側面（20b）の近くに配置される。
【００２１】
図３に示すように、各アンテナ（40）は、突出位置（図３に実線で示す位置）と、収納位置（図３に二点鎖線で示す位置）との間を移動可能である。突出位置は、ケーシング（20）の上面（20a）からアンテナ（40）の大部分（例えば、９割以上）が突出する位置である。収納位置は、アンテナ（40）の全体または大部分（例えば、９割以上）がケーシング（20）に収納される位置である。このために、ケーシング本体（21）には、アンテナ（40）を上下にスライド可能に収容する収容穴（図示せず）が形成される。
【００２２】
−実施形態１の効果−
本実施形態の空気調和装置の室外機（10）は、上面（20a）に吹出開口（22）が形成されたケーシング（20）と、上記ケーシング（20）に収容された室外ファン（30）と、上記ケーシング（20）に設けられ、基地局（2）と通信するためのアンテナ（40）とを備え、上記アンテナ（40）は、上面視において、上記ケーシング（20）の上面（20a）における上記吹出開口（22）から外れた位置に設けられる。このように、室外機（10）の上面にアンテナ（40）が設けられるので、基地局（2）との間で高品質な通信を行うことができる。さらに、アンテナ（40）は、上面視において吹出開口（22）から外れた位置に設けられるので、吹出空気による影響を受けにくく、よって通信の品質が損なわれにくい。
【００２３】
また、本実施形態の空気調和装置の室外機（10）は、上記アンテナ（40）が、上記ケーシング（20）の上面（20a）から突出する突出位置と、上記ケーシング（20）に収納される収納位置との間を移動可能である。したがって、室外機（10）と基地局（2）との間で、突出位置にあるアンテナ（40）を介して高品質な通信を行うことができる。一方、室外機（10）を搬送する場合などには、アンテナ（40）を収納位置に移動させることで当該アンテナ（40）の損傷などを回避することができる。
【００２４】
また、本実施形態の空気調和装置の室外機（10）は、上記ケーシング（20）に収容され、電装品を収容する電装品箱（25）を備え、上記ケーシング（20）の複数の側面において、上記電装品箱（25）に最も近い側面を第１側面（20b）とし、かつ該第１側面（20b）の反対側の側面を第２側面（20c）として、上記アンテナ（40）が、上記第２側面（20c）よりも上記第１側面（20b）の近くに配置される。したがって、アンテナ（40）が第１側面（20b）よりも第２側面（20c）の近くに配置される場合に比べて、電装品箱（25）とアンテナ（40）との間に設けられる配線を短くすることができる。このため、当該配線およびその他部品を容易に設置することができる。
【００２５】
本実施形態の室外機システム（1）は、上記空気調和装置の室外機（10）を複数備え、上記空気調和装置の室外機（10）の間で、上記アンテナ（40）を介したホッピング通信を実行できるように構成されている。したがって、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【００２６】
−実施形態１の変形例−
実施形態１の変形例について説明する。本変形例の室外機（10）は、アンテナ（40）の構成が上記実施形態１と異なる。以下、上記実施形態１と異なる点について主に説明する。
【００２７】
図４に示すように、アンテナ（40）は、ケーシング本体（21）に回動可能に取り付けられ、突出位置（図４に実線で示す位置）と、収納位置（図４に二点鎖線で示す位置）との間を回動動作によって移動可能である。
【００２８】
《実施形態２》
実施形態２について説明する。本実施形態の室外機（10）は、アンテナ（40）の構成などが上記実施形態１と異なる。以下、上記実施形態１と異なる点について主に説明する。
【００２９】
図５に示すように、アンテナ（40）は、ケーシング（20）に対して着脱可能である。なお、図５では、ケーシング（20）から取り外された状態のアンテナ（40）を示してある。
【００３０】
室外機（10）は、図６に概略的に示すように、通信部（50）と、制御部（60）とを備える。
【００３１】
通信部（50）は、送受信回路（51）と、送受信回路（51）を制御部（60）に電気的に接続するデータ線（52）とを有する。送受信回路（51）は、アンテナ（40）を介して信号を送受信するための電気回路である。送受信回路（51）は、アンテナ（40）と一体になっている。
【００３２】
制御部（60）は、室外機（10）の各部の動作を制御するための機能部である。制御部（60）は、ＣＰＵやメモリなどで構成され、電装品箱（25）に収容される。制御部（60）は、データ線（52）を介してアンテナ（40）との間でデータ信号を授受する。
【００３３】
−実施形態２の効果−
本実施形態の空気調和装置の室外機（10）によっても、上記実施形態１と同様の効果が得られる。
【００３４】
また、本実施形態の空気調和装置の室外機（10）は、上記アンテナ（40）が、上記ケーシング（20）に着脱可能である。したがって、アンテナ（40）をケーシング（20）から取り外して任意の位置に配置して使用することができる。
【００３５】
また、本実施形態の空気調和装置の室外機（10）は、上記アンテナ（40）を介して信号を送受信するための送受信回路（51）を備え、上記アンテナ（40）と上記送受信回路（51）とが、一体になっている。このように、アンテナ（40）と送受信回路（51）とが一体になっているので、両者間の距離を短くすることができる。これにより、アンテナ（40）と送受信回路（51）との間で信号が減衰するのを抑止することができる。このことは、アンテナ（40）をケーシング（20）から取り外して任意の位置に配置する場合に特に有利である。
【００３６】
《その他の実施形態》
上記実施形態については、以下のような構成としてもよい。
【００３７】
例えば、アンテナ（40）は、上面視において、ケーシング（20）の上面（20a）における吹出開口（22）から外れた位置に設けられるのであれば、各上記実施形態における位置とは異なる任意の位置に設けられてもよい。
【００３８】
また、例えば、アンテナ（40）は、ファンガード（23）ではなく、ケーシング本体（21）に取り付けられてもよい。この場合、ファンガード（23）の一部が、アンテナ（40）に干渉しないように切り欠いたような形状になっていることが好ましい。
【００３９】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００４０】
以上説明したように、本開示は、空気調和装置の室外機およびそれを備えた室外機システムについて有用である。
【符号の説明】
【００４１】
1  室外機システム
2  基地局
10  室外機
20  ケーシング
20a  上面
20b  第１側面
20c  第２側面
21  ケーシング本体
22  吹出開口
23  ファンガード
25  電装品箱
30  室外ファン
40  アンテナ
51  送受信回路
【手続補正２】
【補正対象書類名】特許請求の範囲
【補正対象項目名】全文
【補正方法】変更
【補正の内容】
【特許請求の範囲】
【請求項１】
上面（20a）に吹出開口（22）が形成されたケーシング（20）と、
上記ケーシング（20）に収容された室外ファン（30）と、
上記ケーシング（20）に設けられ、基地局（2）と通信するためのアンテナ（40）と、
上記アンテナ（40）を介して信号を送受信するための送受信回路（51）とを備え、
上記アンテナ（40）は、上面視において、上記ケーシング（20）の上面（20a）における上記吹出開口（22）から外れた位置に設けられ、
上記アンテナ（40）と上記送受信回路（51）とは一体になっており、
一体になった上記アンテナ（40）及び上記送受信回路（51）が、上記ケーシング（20）に対して着脱可能である
ことを特徴とする空気調和装置の室外機。
【請求項２】
請求項１において、
上記ケーシング（20）に収容され、上記室外機の動作を制御する制御部（60）を収容する電装品箱（25）と、
上記送受信回路（51）を上記制御部（60）に電気的に接続するデータ線（52）とを備える
ことを特徴とする空気調和装置の室外機。
【請求項３】
請求項１又は２に記載の空気調和装置の室外機（10）を複数備え、
上記空気調和装置の室外機（10）の間で、上記アンテナ（40）を介したホッピング通信を実行できるように構成されている
ことを特徴とする室外機システム。